(57)【要約】【課題】  イグニッションオフ後において、確実に加速度センサなどの車両状態検出センサが検出する値に基づいて車高調整を行うか否かが判断できる車高調整装置を提供すること。【解決手段】  車高制御用ＥＣＵ６０は、車両が停止し且つシフト位置が駐車位置となったときに前後加速度センサおよび横加速度センサが検出する検出値をブレーキ用ＥＣＵ７０と通信することにより取得し、メモリ６０ａに記憶する。そして、実際にイグニッションがオフとなったときにその記憶した値を基に車高調整の可否を判断する。よって、イグニッションオフ後にブレーキ用ＥＣＵ７０と通信する際の通信不良により加速度センサの検出値を取得することができなくなるような事態が起こることはない。このため車高調整の可否の判断時にその判断の基となる車両状態の検出値を確実に取得することができ、その検出値に基づいて確実に車高調整の可否を判断することができる。【選択図】  図３
2009113571.tif 000002
【特許請求の範囲】
【請求項１】
車両の車高を変化させることにより車高を調整する車高調整手段と、前記車高調整手段の作動を制御する車高調整用制御装置とを備える車高調整装置において、
前記車高調整用制御装置は、
車両が停止しているか否かを判断する停止判断手段と、
前記停止判断手段により車両が停止していると判断された場合に、車両の変速機の動力伝達状態を変更するために運転者が操作するシフトレバーの操作位置が駐車位置であるか否かを判断する駐車位置判断手段と、
前記駐車位置判断手段によって前記シフトレバーの操作位置が駐車位置であると判断された場合に、車高の調整を行うか否かを判断するために必要とされる車両状態を検出する車両状態検出手段が検出している検出値を記憶する記憶手段と、
前記記憶手段により前記検出値が記憶された後に、車両のイグニッションがオフであるか否かを判断するイグニッションオフ判断手段と、
前記イグニッションオフ判断手段により車両のイグニッションがオフであると判断された場合に、前記記憶手段が記憶した検出値に基づいて車高の調整を行うか否かを判断する車高調整可否判断手段と、
前記車高調整可否判断手段が車高の調整を行うと判断した場合に、車高を検出する車高検出手段が検出する車高に基づいて車高が目標車高となるように前記車高調整手段を制御するイグニッションオフ後車高制御手段と、
を備えることを特徴とする、車高調整装置。
【請求項２】
請求項１に記載の車高調整装置において、
前記車両状態検出手段は、前記車高調整用制御装置とは異なった制御装置であって、車高の調整とは異なる車両に関する他のシステムを制御する制御装置により作動が制御されるものであることを特徴とする、車高調整装置。
【請求項３】
請求項１または２に記載の車高調整装置において、
前記車両状態検出手段は、重力方向に対する車両の傾きを表すために必要な値を検出することを特徴とする、車高調整装置。
【請求項４】
請求項３に記載の車高調整装置において、
前記車両状態検出手段は、車両に作用する加速度を検出する加速度検出手段であることを特徴とする、車高調整装置。
【発明の詳細な説明】
【技術分野】
【０００１】
本発明は、車両の車高調整装置に関し、特に、車両のイグニッションがオフとなった後の車高調整を行い得る車高調整装置に関する。
【背景技術】
【０００２】
従来より、車両の車高を調整するための車高調整装置が知られている。この車高調整装置は、車両の車高を変化させることにより車高を調整する車高調整手段と、車高調整手段の作動を制御する車高制御用ＥＣＵなどの車高調整用制御装置とを備える。車高調整装置には、運転者がフロアコンソールなどに設けられたハイトコントロールスイッチを操作することにより所望の高さに車高を調整できるマニュアル制御を可能にするものや、車両の積載荷重にかかわらず車高を一定に保つオートレベリング制御、あるいはイグニッションのオフ時などに乗員の乗降性や停止時の見栄えなどを向上させるために自動的に車高が低くなるように車高調整がなされるイグニッションオフ後制御などの設定を可能にするものがある。
【０００３】
特許文献１には、イグニッションオフ後制御において、イグニッションがオフとなった後も、車高調整装置に電力を供給して車高調整を行わせると共に、車高調整作動時間が所定値を超えたときは車高調整装置への電力供給を遮断して車高調整を停止させる車高調整装置が記載されている。特許文献１に記載の車高調整装置は、上記のように車高調整装置への電力供給を遮断することによりイグニッションオフ後の電力消費を節約して、バッテリ上がりなどの不具合の発生を防止することができるという効果を奏するものである。
【特許文献１】特開昭６１−２１８０７号公報
【発明の開示】
【０００４】
車高調整を行う際には、現在の車両の状態が車高調整を行って良い状態であるか否かを判断する必要がある。例えば、イグニッションオフ後制御を行うか否かを判断する際に、車両が重力方向に対して傾いている場合、具体的には坂道に車両が停止しているような場合には、車両の姿勢が不安定であるため、たとえイグニッションオフ後制御の要求があったとしても、イグニッションオフ後制御による車高調整を中止する必要がある。よって、イグニッションオフ後制御による車高調整を行う際には、車高調整用制御装置は、まず加速度センサをはじめとしたイグニッションオフ後制御を行うか否かの判断をし得る車両状態を検出している車両状態検出センサにより検出された値を基に車両状態（例えば車両の傾きの度合い）を算出し、算出した車両状態から見て車両が不安定な場合（例えば車両の傾きの度合いが大きい場合）は車高調整を中止し、安定な場合（例えば車両の傾きの度合いが少ない場合）に限って車高調整を行うようにしている。
【０００５】
ここで、加速度センサは車高調整とは異なる車両に関するシステム、例えばＡＢＳなどの制動制御システムにも利用される。よって、加速度センサは制動手段を制御するための制御装置（ブレーキ用ＥＣＵ）その他の制御装置によりその作動が制御されているものが多い。その他の車両状態検出センサにおいても車高調整とは異なる車両に関する他のシステムを制御する他の制御装置により作動が制御されているものが多い。したがって、車高制御用ＥＣＵは、他の制御装置に作動制御されている加速度センサなどの車両状態検出センサの作動制御を行うことができない。また、これらのセンサの検出値を得るためにはこれらのセンサの作動を制御しているブレーキ用ＥＣＵなどの他の制御装置と通信する必要がある。
【０００６】
ところが、イグニッションオフ後制御を行う場合には既にイグニッションがオフとされているから、これらのセンサの作動を制御している他の制御装置がイグニッションのオフ後に速やかに電源供給を遮断することもある。よって、車高制御用ＥＣＵが他の制御装置と通信する際に、その通信のタイミングによっては、既に通信先の他の制御装置は電源供給を遮断していることもある。この場合には、車高制御用ＥＣＵは、他の制御装置を介してそれが作動を制御している車両状態検出センサ（加速度センサなど）の検出値を得ることができない。また、上記制御装置を介さない場合においても車両状態検出センサ（加速度センサなど）への電源供給が遮断されているためにこれらのセンサが検出する検出値を得ることができない。
【０００７】
車高制御用ＥＣＵがイグニッションオフ後制御を行うか否かを判断するために必要とされる車両状態検出センサ（加速度センサなど）の検出値を得ることができない場合には、車高制御用ＥＣＵは車高を調整してよいか否かの判断ができない。また、上記検出値を得ることができない場合は断線などによってセンサの検出異常が生じている可能性も考えられる。このような状況の下で車高調整を行うのは好ましくないから、車高調整は中止される。しかし、実際には上記したように通信のタイミングが悪かったばかりに単に車両状態検出センサ（加速度センサなど）の検出値が取得できないだけであって、車両の姿勢も安定し、センサの検出状態も正常である場合もある。すなわち、車高制御用ＥＣＵと車両状態検出センサ（加速度センサなど）の作動を制御する制御装置との間の通信のタイミングの如何により、車両状態検出センサ（加速度センサなど）が正常である場合であってもこれらのセンサから検出値を取得することができずに車高調整が中止されてしまうという問題があった。
【０００８】
本発明は、上記問題に対処するためになされたもので、イグニッションオフ後において、確実に加速度センサなどの車両状態検出センサが検出する値に基づいて車高調整を行うか否かが判断できる車高調整装置を提供することを目的とする。
【０００９】
本発明の車高調整装置は、車両の車高を制御する車高調整手段と、車高調整手段の作動を制御する車高調整用制御装置とを備える。また、本発明の車高調整用制御装置は、車両が停止しているか否かを判断する停止判断手段と、この停止判断手段によって車両が停止していると判断された場合に、車両の変速機の動力伝達状態を変更するために運転者が操作するシフトレバーの操作位置が駐車位置であるか否かを判断する駐車位置判断手段と、この駐車位置判断手段によってシフトレバーの操作位置が駐車位置であると判断された場合に、車高の調整を行うか否かを判断するために必要とされる車両状態を検出する車両状態検出手段が検出している検出値を記憶する記憶手段と、記憶手段により検出値が記憶された後に、車両のイグニッションがオフであるか否かを判断するイグニッションオフ判断手段と、イグニッションオフ判断手段により車両のイグニッションがオフであると判断された場合に、記憶手段が記憶した検出値を用いて車高の調整を行うか否かを判断する車高調整可否判断手段と、車高調整可否判断手段が車高の調整を行うと判断した場合に、車高を検出する車高検出手段が検出する車高に基づいて車高が目標車高となるように車高調整手段を制御するイグニッションオフ後車高制御手段と、を備えるものとした。この場合、上記車両状態検出手段は、上記車高調整制御装置とは異なる制御装置であって、車高調整とは異なる車両に関する他のシステムを制御する制御装置により作動が制御されるものであるのがよい。
【００１０】
上記発明によれば、車高調整用制御装置は、イグニッションオフ後制御を行うにあたって、まず車両が停止しているか否か、すなわち車速が０であるか否かを判断する。車両が停止していると判断した場合には、次に、変速機のシフトレバーの操作位置（以下、シフト位置と称する）が駐車（パーキング）位置であるか否かを判断する。シフト位置が駐車位置であると判断した場合には、次に車高の調整を行うか否かを判断するために必要とされる車両状態、例えば車両に作用する加速度などを検出する車両状態検出手段（例えば加速度センサ）が検出している検出値を記憶する。その後、車両のイグニッションがオフであるか否かが判断され、オフである場合には、記憶した検出値に基づいて車高の調整を行うか否かを判断する。そして、車高の調整を行うと判断した場合に、車両の車高を検出する車高検出手段が検出する車高に基づいて車高が目標車高となるように車高調整手段を制御する。このようにしてイグニッションオフ後制御がなされる。
【００１１】
このように本発明によれば、車高調整用制御装置は、車高調整を行うか否かの判断に用いる車両状態の検出値を、イグニッションがオフとなる前の時点（つまりイグニッションがオンである時点）であって車両が停止し且つシフト位置が駐車位置となったときに記憶しておき、実際にイグニッションがオフとなったときにその記憶した値を基に車高調整の可否を判断する。よって、イグニッションオフ後制御における車高調整の可否の判断時にその判断の基となる車両状態の検出値を確実に取得することができ、その検出値に基づいて確実に車高調整の可否を判断することができる。特に、本発明は、上記車両状態検出手段が車高調整とは異なる車両に関する他のシステムを制御する他の制御装置により作動が制御されているものである場合に有効である。すなわち、このような場合には車高調整用制御装置が上記車両状態検出手段の作動を制御できない。そのためイグニッションオフ後に車高調整用制御装置が上記他の制御装置と通信して車両状態検出手段の検出値を取得しようとしたときには上記他の制御装置は電源供給を遮断している場合もある。よって、このような場合に本発明を適用し、イグニッションがオンである時の所定の段階にて上記他の制御装置と通信して車両状態検出手段の検出値を先取りしておくことにより、その検出値を基に確実にイグニッションオフ後制御の可否判断を行うことができる。
【００１２】
また、上記記憶手段は、車両が停止し且つシフト位置が駐車位置であるときに車両状態検出手段が検出している検出値を記憶するものである。したがって、その後そのまま車両のイグニッションがオフとなった場合は、記憶手段が検出値を記憶したときの車両の状態とイグニッションがオフとなったときの車両の状態とは同じである。よって、記憶した検出値はイグニッションがオフとなった時点に検出されるであろう値と等しいものと推測できる。このため車高調整可否判断手段による可否判断の精度を向上させることができる。
【００１３】
この場合、車高調整用制御装置は、上記駐車位置検出手段によりシフト位置が駐車位置でないと判断された場合に記憶手段が記憶している検出値を解除する記憶値解除手段をさらに備えるものであるとよい。これによれば、記憶手段が一旦検出値を記憶した場合においても、シフト位置が駐車位置からそれ以外の位置に変化したときごとに記憶した検出値が解除されるので、常に最も直近にシフト位置が駐車位置となったときの検出値が記憶される。このため車高調整可否判断手段による判断の精度がより向上する。
【００１４】
また、上記車両状態検出手段は、重力方向に対する車両の傾きを表すために必要な値を検出するものであるのがよい。この場合、上記車両状態検出手段は、車両に作用する加速度を検出する加速度検出手段であるとよい。加速度検出手段が検出する加速度により車両の停止時に車両が重力方向に対して傾いているか否かを判断することができる。さらに、上記加速度検出手段は、車両の横加速度を検出する横加速度検出手段および車両の前後加速度を検出する前後加速度検出手段であるのがよい。両加速度検出手段により検出される両加速度に基づいて、車両の左右方向の傾きおよび前後方向の傾きを判断できる。
【発明を実施するための最良の形態】
【００１５】
以下、本発明の一実施形態について図面を用いて説明する。図１は、本発明の車高調整装置を含む車両のサスペンション装置を示す概略図である。
【００１６】
この車両のサスペンション装置は、前後左右輪Ｗｆｌ，Ｗｆｒ，Ｗｒｌ，Ｗｒｒを保持する車輪側部材（例えばロアアーム）１１ａ〜１１ｄと、車体と一体変位する車体側部材１２ａ〜１２ｄと、の間にそれぞれ設けられた流体圧シリンダ２０ａ〜２０ｄを備えている。流体圧シリンダ２０ａ〜２０ｄは、車体側部材１２ａ〜１２ｄに上端部を固定した円筒状のハウジング２１ａ〜２１ｄをそれぞれ備えている。ハウジング２１ａ〜２１ｄ内には、その軸線方向に液密的に摺動するピストン２２ａ〜２２ｄがそれぞれ収容されている。ピストン２２ａ〜２２ｄは、ハウジング２１ａ〜２１ｄ内を上油室２３ａ〜２３ｄおよび下油室２４ａ〜２４ｄにそれぞれ区画している。ピストン２２ａ〜２２ｄには、上油室２３ａ〜２３ｄおよび下油室２４ａ〜２４ｄを連通させるオリフィス２５ａ〜２５ｄが設けられている。
【００１７】
ピストン２２ａ〜２２ｄには、ピストンロッド２６ａ〜２６ｄの上端部がそれぞれ固定されている。ピストンロッド２６ａ〜２６ｄは、ピストン２２ａ〜２２ｄとの連結位置からハウジング２１ａ〜２１ｄの軸方向下方に延びている。ピストンロッド２６ａ〜２６ｄの下方はハウジング２１ａ〜２１ｄの下端部から進退可能にそれぞれ突出しており、その下端部は車輪側部材１１ａ〜１１ｄに接続されている。ハウジング２１ａ〜２１ｄの外周面と車体側部材１２ａ〜１２ｄとの間には図示しないコイルスプリングが設けられており、流体圧シリンダ２０ａ〜２０ｄは、コイルスプリングと共に車輪側部材１１ａ〜１１ｄに対して車体を上下に振動可能に支持する。この車体の上下方向の振動の際には、オリフィス２５ａ〜２５ｄを介して作動油が上下油室２３ａ〜２３ｄ、２４ａ〜２４ｄ間を移動することによって減衰力が付与される。
【００１８】
流体圧シリンダ２０ａ〜２０ｄの上油室２３ａ〜２３ｄは、可変オリフィス１３ａ〜１３ｄを介して個別油路Ｌ１ａ〜Ｌ１ｄの各一端にそれぞれ接続している。可変オリフィス１３ａ〜１３ｄは、電気的に制御されることによりそれが介挿されている通路部分の流路断面積をそれぞれ変更する。個別油路Ｌ１ａ〜Ｌ１ｄには、車体の上下動に対してばね作動をもたらすアキュムレータ１４ａ〜１４ｄおよびアキュムレータ１５ａ〜１５ｄがそれぞれ接続されている。アキュムレータ１４ａ〜１４ｄ、１５ａ〜１５ｄは、ハウジングおよびハウジング内を仕切る仕切り部材を有し、各一方の室が個別油路Ｌ１ａ〜Ｌ１ｄにそれぞれ連通するとともに、各他方の室に弾性体を収容してなるもので、いずれもばね機能を備えている。なお、アキュムレータ１５ａ〜１５ｄのばね定数は、アキュムレータ１４ａ〜１４ｄのばね定数よりも大きく設定されている。
【００１９】
アキュムレータ１５ａ〜１５ｄと個別油路Ｌ１ａ〜Ｌ１ｄとの間には、ばね定数切換え用の電磁切換弁１６ａ〜１６ｄが介挿されている。これらの電磁切換弁１６ａ〜１６ｄへの通電・非通電により各個別油路Ｌ１ａ〜Ｌ１ｄとアキュムレータ１５ａ〜１５ｄとの連通状態が変化する。これにより流体圧シリンダ２０ａ〜２０ｄに作用する弾性力が制御される。
【００２０】
また、このサスペンション装置は、車高を調整するために、個別油路Ｌ１ａ〜Ｌ１ｄを介した流体圧シリンダ２０ａ〜２０ｄへの作動油の給排を制御する流体給排装置を備えている。流体給排装置は、車高を上昇させる際に流体圧シリンダ２０ａ〜２０ｄに作動油を供給するためのポンプ４１を備えている。ポンプ４１は電動モータ４２によって駆動されて、リザーバ４３内の作動油を汲み上げ、逆止弁４４を介して共通油路Ｌ２に作動油を吐出する。共通油路Ｌ２には逆止弁４４の下流側にて消音用のアキュムレータ４５が接続されるとともに、アキュムレータ４５が接続されている部分よりもさらに下流側にて電磁切換弁４６を介して蓄圧用のアキュムレータ４７が接続されている。電磁切換弁４６は、通電により開状態に設定される常閉型である。
【００２１】
共通油路Ｌ２にはバイパス油路Ｌ２ｂが連通している。このバイパス油路Ｌ２ｂは、その一端が共通油路Ｌ２の逆止弁４４が介挿されている部分とアキュムレータ４５が接続されている部分との間に連通し、その他端がポンプ４１の吸入口とリザーバ４３とを接続する配管に連通しており、共通油路Ｌ２のポンプ４１と逆止弁４４との間の部分を迂回している。バイパス油路Ｌ２ｂには、通電により開状態に設定される常閉型の流出制御用の電磁切換弁４８が介挿されている。この電磁切換弁４８は、車高を下降させる際に開弁することによりバイパス油路Ｌ２ｂを通じて流体圧シリンダ２０ａ〜２０ｄ内をリザーバ４３に連通させる。
【００２２】
図１に示すように、共通油路Ｌ２は、個別油路Ｌ１ａ〜Ｌ１ｄにそれぞれ連通している。本実施形態においては個別油路Ｌ１ａとＬ１ｂが合流しており、個別油路Ｌ１ｃとＬ１ｄとが合流しており、それぞれ合流した部位にて共通油路Ｌ２と連通している。また、各個別油路Ｌ１ａ〜Ｌ１ｄには電磁切換弁５１ａ〜５１ｄが介挿されている。電磁切換弁５１ａ〜５１ｄは、通電により開状態に設定される常閉型である。個別油路Ｌ１ａと個別油路Ｌ１ｂとは、第１連通油路Ｌ３ａにより連通されている。この第１連通油路Ｌ３ａは、ポンプ４１側（共通油路Ｌ２側）から見て個別油路Ｌ１ａの電磁切換弁５１ａが介挿されている部分よりも下流側の部分と、個別油路Ｌ１ｂの電磁切換弁５１ｂが介挿されている部分よりも下流側の部分とを連通している。個別油路Ｌ１ｃと個別油路Ｌ１ｄとは第２連通油路Ｌ３ｂにより連通されている。この第２連通油路Ｌ３ｂは、ポンプ４１側（共通油路Ｌ２側）から見て個別油路Ｌ１ｃの電磁切換弁５１ｃが介挿されている部分よりも下流側の部分と、個別油路Ｌ１ｄの電磁切換弁５１ｄが介挿されている部分よりも下流側の部分とを連通している。第１連通油路Ｌ３ａには、通電により開状態に設定される常閉型の電磁切換弁５２ａが接続されている。第２連通油路Ｌ３ｂには、通電により開状態に設定される常閉型の電磁切換弁５２ｂが接続されている。これらの電磁切換弁５２ａ，５２ｂは、電磁切換弁１６ａ〜１６ｄが閉状態から開状態に切り換えられる際に通電制御されて、前記切換えに伴って発生する油路内での作動油の脈動を抑制するためのものである。
【００２３】
上記の構成において、本発明における車高調整手段は、個別油路Ｌ１ａ〜Ｌ１ｄ、共通油路Ｌ２、バイパス油路Ｌ２ｂ、ポンプ４１，電動モータ４２、リザーバ４３、逆止弁４４、流体圧シリンダ２０ａ〜２０ｄ、電磁切換弁４８，５１ａ〜５１ｄ、ピストンロッド２６ａ〜２６ｄを備えて構成され、ポンプ４１の作動および各種電磁切換弁４８，５１ａ〜５１ｄの開閉作動により車両の車高が変化し、車高が調整される。
【００２４】
次に、上述した各種電気部品を制御する電気制御装置について説明する。電気制御装置は、各種油路に設けられて油圧を検出する複数の圧力センサＰを備えている。圧力センサＰは検出した圧力を車高調整用電子制御ユニット（以下、車高制御用ＥＣＵという）６０に出力する。また、電気制御装置は車高センサ６１ａ〜６１ｄを有している。車高センサ６１ａ〜６１ｄは、車輪側部材１１ａ〜１１ｄと車体側部材１２ａ〜１２ｄの各間にそれぞれ組み付けられており、左右前後輪Ｗｆｌ，Ｗｆｒ，Ｗｒｌ，Ｗｒｒの各位置における車高Ｌを検出して車高制御用ＥＣＵ６０に出力する。なお、車高センサとしては、サスペンションの伸縮を計測することにより車高を検出するものなど様々なものがあり、現時点において周知のセンサであるのでその具体的構造や検出方法などについての説明は省略する。
【００２５】
車高制御用ＥＣＵ６０は、車高センサ６１ａ〜６１ｄ、各種電磁切換弁、可変オリフィス１３ａ〜１３ｄおよび電動モータ４２に電気的に接続しており、制御指令または制御量を表す信号を対応する部品や回路に出力することによりこれらの部品の作動を制御して車高制御に関する制御を行う。この車高制御用ＥＣＵ６０には、車高モードスイッチ６２，車高調整スイッチ（ハイトコントロールスイッチ）６３が接続されている。車高モードスイッチ６２は車室内に設けられ、車高の変更を自動的に行うオートモードとマニュアル制御によって行うマニュアルモードとを切換えるために運転者により操作されるものである。また、オートモードには、高速走行時に車高を低くする高速走行時制御モード、積載荷重が変化しても車高を一定の高さに保つオートレベリング制御モード、イグニッションがオフとなったときに乗降性を向上させるために車高を所定の目標車高まで低下させるイグニッションオフ後制御モードなどがあり、それぞれのモードを個別に設定できるようになっている。車高調整スイッチ６３も車室内に設けられる。この車高調整スイッチ６３は、前記マニュアルモードの選択時に車高の高低の程度および切換えを運転者自らが操作するためのものである。
【００２６】
図２は、車両に搭載されているバッテリ、車高制御用ＥＣＵ６０、車高制御以外の制御用ＥＣＵ、例えばブレーキ用ＥＣＵおよび各種センサの電気的接続関係を示した図である。図に示すように、バッテリＢＴは、車高制御用ＥＣＵ６０の他に、車両の他のシステムを作動させるために用いられる他のＥＣＵ、例えばＡＢＳなど車両の制動システムを制御するためのブレーキ用ＥＣＵ７０などにも電気的に接続されており、各ＥＣＵはそれぞれ独立に駆動している。ブレーキ用ＥＣＵ７０は、前後加速度センサ７１、横加速度センサ７２、ヨーレートセンサ７３、車輪速センサ７４に電気的に接続されており、これらのセンサに電力を供給するとともに、これらのセンサの作動を制御する。前後加速度センサ７１は車両の前後方向に作用する加速度を検出して出力する。横加速度センサ７２は車両の横方向（左右方向）に作用する加速度を検出して出力する。ヨーレートセンサ７３は車両に作用するヨーレートを検出して出力する。車輪速センサ７４は車輪の回転速度を検出して出力する。
【００２７】
また、車高制御用ＥＣＵ６０は、各油路に取付けられる圧力センサ、車高センサ６１ａ〜６１ｄおよびシフト位置センサ７５に電気的に接続されている。シフト位置センサ７５は、車両の変速機の動力伝達状態を変更するために運転者が操作するシフトレバーの操作位置（シフト位置）を検出するセンサであり、シフト位置がＤ（ドライブ）、Ｎ（ニュートラル）、Ｐ（駐車）、Ｒ（リバース）のいずれであるかについての情報を検出して出力する。車高制御用ＥＣＵ６０は、圧力センサ、車高センサ６１ａ〜６１ｄおよびシフト位置センサ７５に電力を供給するとともに、これらのセンサの作動を制御する。また、車高制御用ＥＣＵ６０は、内部にメモリ６０ａを有する。このメモリ６０ａは、後述するように所定のタイミングで前後加速度センサ７１および横加速度センサ７２の検出値を記憶する。
【００２８】
図２からわかるように、前後加速度センサ７１、横加速度センサ７２、ヨーレートセンサ７３、車輪速センサ７４はブレーキ用ＥＣＵ７０にその作動が制御されており、車高制御用ＥＣＵ６０はこれらのセンサの作動を制御することができない。したがって、これらのセンサの検出値を取得するためにはブレーキ用ＥＣＵ７０と通信し、ブレーキ用ＥＣＵ７０を介して上記センサの検出値を取得する必要がある。なお、シフト位置センサ７５は車高制御用ＥＣＵ６０やブレーキ用ＥＣＵ７０とは別のＥＣＵに作動を制御されていてもよい。この場合は、車高制御用ＥＣＵ６０は、シフト位置センサ７５の作動を制御しているＥＣＵからシフト位置センサ７５の検出値を取得する。
【００２９】
上記構成のサスペンション装置において、車高制御用ＥＣＵ６０は、車高調整が可能である条件下において車高を低くするように車高調整の要求を受けた場合には、バネ定数切換え用の電磁切換弁１６ａ〜１６ｄに通電してこれらを閉状態に設定する。次に、電磁切換弁１６ａ〜１６ｄへの通電開始から所定の短時間が経過した後、車高制御用の電磁切換弁５１ａ〜５１ｄおよび流出制御用の電磁切換弁４８に通電して、電磁切換弁５１ａ〜５１ｄ、４８を開状態に設定する。これにより、流体圧シリンダ２０ａ〜２０ｄ内の作動油が個別油路Ｌ１ａ〜Ｌ１ｄ、共通油路Ｌ２、バイパス油路Ｌ２ｂを介してリザーバ４３に排出される。各流体圧シリンダ２０ａ〜２０ｄ内からの作動油の排出に伴ってピストンロッド２６ａ〜２６ｄが各流体圧シリンダ２０ａ〜２０ｄ内に埋没することにより、左右前後輪Ｗｆｌ，Ｗｆｒ，Ｗｒｌ，Ｗｒｒの各位置における車高Ｌが徐々に低くなる。
【００３０】
そして、車高制御用ＥＣＵ６０は、車高センサ６１ａ〜６１ｄによって検出された各車高Ｌを入力して、左右前後輪Ｗｆｌ，Ｗｆｒ，Ｗｒｌ，Ｗｒｒの各位置における各車高Ｌが目標の低い車高値に等しくなるまで、あるいは設定範囲内にて運転者が車高調整スイッチ６３を車高ＤＯＷＮ側（車高を低くする側）に操作している間（マニュアル制御の場合）、電磁切換弁５１ａ〜５１ｄ、４８を開状態に維持し、電磁切換弁１６ａ〜１６ｄを閉状態に維持する。左右前後輪Ｗｆｌ，Ｗｆｒ，Ｗｒｌ，Ｗｒｒの各位置における各車高Ｌが目標の低い車高値に等しくなるか、あるいは運転者が車高調整スイッチを車高ＤＯＷＮ側に操作することを中止した場合、車高制御用の電磁切換弁５１ａ〜５１ｄおよび流出制御用の電磁切換弁４８に対する通電を中止して、電磁切換弁５１ａ〜５１ｄ、４８を閉状態に設定する。これにより、流体圧シリンダ２０ａ〜２０ｄ内の作動油のリザーバ４３への排出が停止し、左右前後輪Ｗｆｌ，Ｗｆｒ，Ｗｒｌ，Ｗｒｒの各位置における車高の低下が停止する。
【００３１】
また、車高制御用ＥＣＵ６０は、車高調整が可能である場合において車高を上昇させるように車高調整の要求を受けたときには、ばね定数切換え用の電磁切換弁１６ａ〜１６ｄに通電してこれらを閉状態に設定し、通電開始から所定の短時間が経過した後に、車高制御用の電磁切換弁５１ａ〜５１ｄを通電により開状態に設定するとともに、電動モータ４２を作動させることによりポンプ４１の作動を開始させる。ポンプ４１の作動により、ポンプ４１から吐出された作動油が油路Ｌ２、Ｌ１ａ〜Ｌ１ｄを介して流体圧シリンダ２０ａ〜２０ｄに供給される。このため各流体圧シリンダ２０ａ〜２０ｄ内に供給される作動油によりピストンロッド２６ａ〜２６ｄが押しのけられ、押しのけられた分だけ各流体圧シリンダ２０ａ〜２０ｄより突出する。これにより左右前後輪Ｗｆｌ，Ｗｆｒ，Ｗｒｌ，Ｗｒｒの各位置における車高Ｌが徐々に高くなる。
【００３２】
車高制御用ＥＣＵ６０は、車高センサ６１ａ〜６１ｄによって検出された各車高Ｌを入力して、左右前後輪Ｗｆｒ，Ｗｆｒ，Ｗｒｌ，Ｗｒｒの各位置における各車高Ｌが目標の高い車高値に等しくなるまで、あるいは設定範囲内にて運転者が車高調整スイッチ６３を車高ＵＰ側（車高を高くする側）に操作している間（マニュアル制御の場合）、電磁切換弁５１ａ〜５１ｄを開状態に維持し、ポンプ４１を作動状態に維持し、且つ電磁切換弁１６ａ〜１６ｄを閉状態に維持する。そして、左右前後輪Ｗｆｌ，Ｗｆｒ，Ｗｒｌ、Ｗｒｒの各位置における各車高Ｌが目標の高い車高値に等しくなるか、運転者が車高調整スイッチ６３を車高ＵＰ側に操作することを中止した場合、車高制御用ＥＣＵは電磁切換弁５１ａ〜５１ｄへの通電を中止して電磁切換弁５１ａ〜５１ｄを閉状態に設定する。また、電動モータ４２に対する作動制御を停止することにより、ポンプ４１の作動油の吐出動作を停止する。その結果、流体圧シリンダ２０ａ〜２０ｄへの作動油の供給が停止し、左右前後輪Ｗｆｌ，Ｗｆｒ，Ｗｒｌ，Ｗｒｒの各位置における車高の上昇が停止する。
【００３３】
本実施形態においては、車両停止後にイグニッションキーが抜かれた時に、乗降性を良好にし、且つ停止時の見栄えを良好にするために車高を所定の目標値まで低下する制御（イグニッションオフ後制御）を行うことができる。このイグニッションオフ後制御は、車高モードスイッチ６２がオートモードで且つイグニッションオフ後制御を行うように設定されており、さらに車両が傾いていない状態で停車しているときにイグニッションがオフとなったことを条件に行われる。具体的には、車高制御用ＥＣＵ６０が図３に示すイグニッションオフ後制御プログラムを実行することによって、イグニッションオフ後制御がなされる。
【００３４】
車高制御用ＥＣＵ６０はイグニッションスイッチの投入により図３に示すイグニッションオフ後制御プログラムを所定の短時間ごとに繰り返し実行する。このイグニッションオフ（図３ではＩＧ＿ＯＦＦと表示する）後制御プログラムの実行はステップＳ１０（以下、Ｓ１０と称する。他のステップも同様とする）にて開始され、次のＳ１２にてイグニッションオフ後制御要求が有るか否かを判定する。この判定は車高モードスイッチ６２がオートモードで且つイグニッションオフ後制御を行うように設定されているか否かにより判断される。Ｓ１２の判定がＮｏである場合、すなわちイグニッションオフ後制御要求が無い場合は、Ｓ２８に進んでこのプログラムの実行を終了する。一方、Ｓ１２の判定がＹｅｓである場合、すなわちイグニッションオフ後制御要求が有る場合はＳ１４に進み、Ｓ１４にて車速Ｖが０であるか否かを判定する。車速Ｖは車輪速センサ７４が検出する情報をブレーキ用ＥＣＵ７０を介して入力した値を基に算出される。
【００３５】
Ｓ１４の判定がＮｏである場合は、車両が走行している場合であるので、この場合はイグニッションオフ後制御は行わない。よって、Ｓ２８に進んでこのプログラムの実行を終了する。一方、Ｓ１４の判定がＹｅｓである場合はＳ１６に進む。Ｓ１６では、シフト位置センサ７５が検出するシフト位置がＰ（駐車）位置であるか否かを判定する。Ｓ１６の判定がＮｏである場合、すなわちシフト位置がＰ位置以外の位置である場合はＳ２６に進む。Ｓ２６では後述する記憶値を解除する。その後、Ｓ２８に進んでこのプログラムの実行を終了する。
【００３６】
Ｓ１６の判定がＹｅｓである場合、すなわちシフト位置がＰ位置である場合はＳ１８に進む。Ｓ１８では、車高制御用ＥＣＵ６０は、ブレーキ用ＥＣＵ７０と通信し、このブレーキ用ＥＣＵ７０を介して前後加速度センサ７１および横加速度センサ７２の検出値を取得し、取得した検出値をメモリ６０ａに記憶する。このＳ１８においては、車高制御用ＥＣＵ６０は、自身によりその作動を制御することができない（自身の制御下に置かれていない）センサの値を他のＥＣＵを介して取得して、取得したセンサの検出値をメモリ６０ａに記憶している。ここで、他のＥＣＵにより作動が制御される（車高制御用ＥＣＵ６０が作動制御をすることができない）センサは種々存在するが、特に、後述するＳ２２におけるイグニッションオフ後制御による車高調整が可能か否かを判断する上で必要とされる車両状態を検出するセンサの検出値がメモリ６０ａに記憶されるものであるとよい。より好ましくは、本実施形態のようにメモリ６０ａが加速度センサ（例えば前後加速度センサ７１および横加速度センサ７２）の検出値を記憶するものであるとよい。
【００３７】
Ｓ１８にてメモリ６０ａが前後加速度センサ７１および横加速度センサ７２の検出値を記憶した後は、車高制御用ＥＣＵはＳ２０に進み、イグニッションがオフであるか否かを判定する。Ｓ２０の判定結果がＮｏである場合、すなわちイグニッションがオンである場合はイグニッションオフ後制御を実行する必要がないのでＳ２８に進んでこのプログラムの実行を終了する。Ｓ２０の判定結果がＹｅｓである場合、すなわちイグニッションがオフである場合はＳ２２に進む。Ｓ２２では、イグニッションオフ後制御による車高調整が可能であるか否かを判定する。
【００３８】
本実施形態では、イグニッションオフ後制御による車高調整が可能であるか否かを判定するにあたり、車両が重力方向に対して傾いているか否か、つまり坂道などに停止しているか否かを判定する。車両が重力方向に対して傾いているか否かは、車両に作用する加速度に基づいて判断することができる。例えば車両に前後加速度が作用していれば、車両は重力方向に対して車両前後方向に傾いており、車両に横加速度が作用していれば、車両は重力方向に対して車両幅方向（左右方向）に傾いていることになる。ここで、本実施形態において車両制御用ＥＣＵ６０は、メモリ６０ａが記憶している前後加速度および横加速度を用いて車両が重力方向に対して傾いているか否かを判断する。具体的にはＳ２２にて車両制御用ＥＣＵ６０は、Ｓ１８にてメモリ６０ａが記憶した前後加速度センサ７１の検出値である加速度Ａ１の絶対値｜Ａ１｜および横加速度センサ７２の検出値である加速度Ａ２の絶対値｜Ａ２｜が所定の微小な正の加速度δ未満であるか否かを判定する（｜Ａ１｜＜δ、｜Ａ２｜＜δ）。この場合、車両が前後方向に傾いた姿勢で停車している場合は前後加速度センサ７１の検出値Ａ１が大きくなり、左右方向に傾いた姿勢で停車している場合は、横加速度センサ７２の検出値Ａ２が大きくなる。したがって、前後加速度センサ７１の検出値Ａ１の絶対値がδ以上であれば車両が前後に大きく傾いており、横加速度センサ７２の検出値Ａ２の絶対値がδ以上であれば車両が左右に大きく傾いていると判断できる。また、Ａ１，Ａ２の絶対値がδ以下であれば、車両は左右にも前後にもほとんど傾いておらず、重力方向に対してほぼ鉛直な姿勢にて停車しているものと判断できる。本実施形態では、上記｜Ａ１｜および｜Ａ２｜のいずれもがδ未満である場合にのみＳ２２における判定結果がＹｅｓとなり、それ以外はＮｏとなる。
【００３９】
Ｓ２２における判定の結果がＮｏである場合、すなわち車両が重力方向に対して傾いていて不安定であるのでイグニッションオフ後制御を行うことができない場合には、Ｓ２８に進んでこのプログラムの実行を終了する。一方、Ｓ２２における判定の結果がＹｅｓである場合、すなわち車両が重力方向に対して傾いておらず、ほぼ水平状態であってイグニッションオフ後制御を行うことができる場合には、Ｓ２４に進む。そして、Ｓ２４にてイグニッションオフ後制御を行う。このイグニッションオフ後制御は、上述したように車高を低くする制御である。具体的には、図１に示すサスペンション装置において、バネ定数切換え用の電磁切換弁１６ａ〜１６ｄに通電してこれらの弁を閉状態に設定し、これらの弁への通電開始から所定の短時間が経過した後、車高制御用の電磁切換弁５１ａ〜５１ｄおよび流出制御用の電磁切換弁４８に通電して、電磁切換弁５１ａ〜５１ｄ、４８を開状態に設定する。これにより、流体圧シリンダ２０ａ〜２０ｄ内の作動油が個別油路Ｌ１ａ〜Ｌ１ｄ、共通油路Ｌ２、バイパス油路Ｌ２ｂを介してリザーバ４３に排出される。各流体圧シリンダ２０ａ〜２０ｄ内からの作動油の排出に伴ってピストンロッド２６ａ〜２６ｄが各流体圧シリンダ２０ａ〜２０ｄ内に埋没することにより、左右前後輪Ｗｆｌ，Ｗｆｒ，Ｗｒｌ，Ｗｒｒの各位置における車高Ｌが徐々に低くなる。
【００４０】
そして、車高制御用ＥＣＵ６０は、車高センサ６１ａ〜６１ｄによって検出された各車高Ｌを入力し、入力した車高Ｌに基づいて、左右前後輪Ｗｆｌ，Ｗｆｒ，Ｗｒｌ，Ｗｒｒの各位置における各車高がイグニッションオフ後制御における目標の低い車高となるまで電磁切換弁５１ａ〜５１ｄ、４８を開状態に維持し、電磁切換弁１６ａ〜１６ｄを閉状態に維持する。左右前後輪Ｗｆｌ，Ｗｆｒ，Ｗｒｌ，Ｗｒｒの各位置における各車高Ｌが目標の低い車高になった場合、電磁切換弁５１ａ〜５１ｄおよび流出制御用の電磁切換弁４８に対する通電を停止して、電磁切換弁５１ａ〜５１ｄ、４８を閉状態に設定する。これにより、流体圧シリンダ２０ａ〜２０ｄ内の作動油のリザーバ４３への排出が停止し、左右前後輪Ｗｆｌ，Ｗｆｒ，Ｗｒｌ，Ｗｒｒの各位置における車高の低下が停止する。このようにしてイグニッションオフ後制御が行われる。その後、Ｓ２８に進んでこのプログラムの実行を終了する。
【００４１】
従来において、車高制御用ＥＣＵがイグニッションオフ後制御による車高調整を行うか否かを判断する場合には、車高制御用ＥＣＵはイグニッションのオフが確認されてから（つまりイグニッションオフ後に）加速度センサなどの検出値を入力し、その検出値に基づいて車高調整の可否を判断していた。ここで、加速度センサなどが車高制御用ＥＣＵにより作動制御されていない場合には、車高制御用ＥＣＵは加速度センサの作動を制御している制御装置と通信し、その制御装置を介して加速度センサの検出値を取得する必要がある。しかし、上記通信のタイミングによっては既にその制御装置への電源供給が遮断されていることも起こり得る。上記制御装置への電源供給が遮断されている場合には、車高制御用ＥＣＵが加速度センサの検出値を取得することができない。
【００４２】
図４は、イグニッション（ＩＧ）のオン・オフ状態と、車高制御用ＥＣＵ６０が検知するバッテリＢＴの電圧ＶＢＴの経時的変化と、ブレーキ用ＥＣＵ７０の通電電圧ＶＢＲの経時変化を併記したグラフである。図４に示すように時刻ｔ０にてイグニッションがオンからオフに変化すると、その時点から車高制御用ＥＣＵ６０はバッテリＢＴの電圧降下を検知する。時刻ｔ２にて車高制御用ＥＣＵ６０が検知するバッテリ電圧ＶＢＴが通常の電圧ＶＴから所定の電圧Ｖ０まで降下すると、車高制御用ＥＣＵ６０はイグニッションがオンからオフになったと判断する。従来においてはその後（つまりｔ２後）にブレーキ用ＥＣＵ７０から加速度センサの検出値を入力する。しかし、時刻ｔ２よりも前の時刻ｔ１のときにブレーキ用ＥＣＵ７０がイグニッションのオフを受けて電源の供給を遮断し、時刻ｔ２のときには既にその作動が停止している場合は、車高制御用ＥＣＵ６０はブレーキ用ＥＣＵ７０を介して加速度センサの検出値を取得することができない。
【００４３】
車高制御用ＥＣＵ６０が加速度センサ７１，７２の検出値を取得することができない場合は、車両の姿勢（傾き）を判断することができない。また、加速度センサ７１，７２の異常が発生している可能性もある。このような理由のために、加速度センサ７１，７２の検出値が取得できない場合はイグニッションオフ後制御が行われない。しかし、実際には上述したように加速度センサ７１，７２の異常などは起こっておらず、単に加速度センサ７１，７２の検出値を取得するタイミングがブレーキ用ＥＣＵ７０が電力供給を遮断するタイミングよりも遅かっただけである場合もある。このような場合にまでイグニッションオフ後制御を中止することは好ましくない。
【００４４】
これに対して本実施形態においては上述したように、イグニッションのオフが確認された後に車高調整を行うか否かを判断するにあたって、イグニッションがオフとなる前の所定のタイミングで予め前後加速度センサ７１の検出値Ａ１および横加速度センサ７２の検出値Ａ２を記憶手段（メモリ６０ａ）に事前に記憶しておき、イグニッションがオフとなった後におけるイグニッションオフ後制御可否判断時には記憶手段に記憶された検出値Ａ１，Ａ２を用いてイグニッションオフ後制御を行うか否かを判断している。ここで、イグニッションがオフとなる前の所定のタイミングとは、本実施形態において具体的には、車高調整要求が有り、車速が０であり、シフト位置がＰ（駐車）位置となるタイミングである。
【００４５】
したがって、イグニッションオフ後制御可否判断時に、その判断の基となる前後加速度センサ７１の検出値や横加速度センサ７２の検出値が取得できていない事態が回避される。このため確実にこれらのセンサの検出値に基づいて車高調整を行うか否かを判断することができる。
【００４６】
以上のように、本実施形態の車高調整装置において、車高制御用ＥＣＵ６０は、車両が停止しているか否かを判断する停止判断手段（Ｓ１４）と、停止判断手段により車両が停止していると判断された場合にシフト位置が駐車位置であるか否かを判断する駐車位置判断手段（Ｓ１６）と、駐車位置判断手段によってシフト位置が駐車位置であると判断された場合に前後加速度センサ７１の検出値Ａ１および横加速度センサ７２の検出値Ａ２を記憶する記憶手段（メモリ６０ａおよびＳ１８）と、メモリ６０ａに検出値Ａ１，Ａ２が記憶された後に車両のイグニッションがオフであるか否かを判断するイグニッションオフ判断手段（Ｓ２０）と、イグニッションオフ判断手段により車両のイグニッションがオフであると判断された場合にメモリ６０ａが記憶した検出値Ａ１，Ａ２に基づいて車高の調整を行うか否かを判断する車高調整可否判断手段（Ｓ２２）と、車高調整可否判断手段が車高の調整を行うと判断した場合に車高センサ６１ａ〜６１ｄが検出する車高Ｌに基づいて車高がイグニッションオフ後制御における目標の低い車高となるように車高調整手段（個別油路Ｌ１ａ〜Ｌ１ｄ、共通油路Ｌ２、バイパス油路Ｌ２ｂ、ポンプ４１，電動モータ４２、リザーバ４３、逆止弁４４、流体圧シリンダ２０ａ〜２０ｄ、電磁切換弁４８，５１ａ〜５１ｄ、ピストンロッド２６ａ〜２６ｄ）を制御するイグニッションオフ後車高制御手段（Ｓ２４）と、を備える。すなわち、車高制御用ＥＣＵ６０は、車高調整を行うか否かの判断に用いる車両状態（加速度）の検出値を、イグニッションがオフとなる前の時点（つまりイグニッションがオンである時点）であって車両が停止し且つシフト位置が駐車位置となったときにブレーキ用ＥＣＵ７０と通信することにより取得し、その取得した値をメモリ６０ａに記憶しておく。そして、実際にイグニッションがオフとなったときにその記憶した値を基に車高調整の可否を判断する。よって、従来のようにイグニッションオフ後にブレーキ用ＥＣＵ７０と通信する際の通信不良により加速度センサの検出値を取得することができなくなるような事態が起こることはない。このため車高調整の可否の判断時にその判断の基となる車両状態の検出値を確実に取得することができ、その検出値に基づいて確実に車高調整の可否を判断することができる。
【００４７】
また、車高制御用ＥＣＵ６０は、車両停止時且つシフト位置が駐車位置であるときに前後加速度センサ７１および横加速度センサ７２の検出値を記憶する。したがって、その後そのまま車両のイグニッションがオフとなった場合は、記憶手段（メモリ６０ａ）が検出値を記憶したときの車両の傾きとイグニッションをオフとしたときの車両の傾きとは同じである。よって、記憶した検出値はイグニッションがオフとなった時点に検出される値と等しいものと推測できる。このため車高調整可否判断手段による判断の精度を向上させることができる。
【００４８】
また、車高制御用ＥＣＵ６０はさらに、上記駐車位置検出手段によりフト位置が駐車位置でないと判断された場合に記憶手段が記憶している検出値を解除する記憶値解除手段（Ｓ２６）を備える。これによれば、例えば車両が停止し、シフト位置が駐車位置となり、その後イグニッションをオフさせることなくシフト位置が駐車位置以外の位置になったときは、記憶手段が記憶している検出値が解除される。そして、再度シフト位置が駐車位置となったときには、そのときに前後加速度センサ７１および横加速度センサ７２が検出している検出値をブレーキ用ＥＣＵ７０を介して取得し、取得した検出値がメモリ６０ａに記憶される。このようにして常に最も直近にシフト位置が駐車位置となったときにおける加速度センサ７１，７２の検出値が記憶されため、車高調整可否判断手段による判断の精度がより向上する。
【００４９】
以上、本発明の実施形態について説明したが、本発明は上記実施形態に限定されるべきものではない。例えば、本発明を適用するにあたって、サスペンション装置は油空圧式（ハイドロニューマチック式）でも空圧式でもよく、どのようなタイプのサスペンション装置を使用してもよい。また、上記実施形態においては車高制御用ＥＣＵ６０がブレーキ用ＥＣＵ７０を介してイグニッションオフ後制御可否判断の基となるセンサの検出値を取得する例を示したが、ブレーキ用ＥＣＵに限らず、車高制御用ＥＣＵ以外の他のＥＣＵを介して検出値を取得する場合においても本発明を適用できる。また、上記実施形態においては加速度センサの検出値を基にイグニッションオフ後制御の可否を判断しているが、これに限らず、車高調整を行うか否かを判断するために必要とされる車両状態を検出するセンサの検出値を基にしてイグニッションオフ後制御の可否を判断してもよい。この場合、車両の安定性を表す値を検出するセンサの検出値を基にしてイグニッションオフ後制御の可否を判断するのがよい。その他、本発明の趣旨を逸脱しない限りにおいていかなる変更も可能である。
【図面の簡単な説明】
【００５０】
【図１】本発明の車高調整装置を含む車両のサスペンション装置を示す概略図である。
【図２】車両の搭載されているバッテリ、車高制御用ＥＣＵ，ブレーキ用ＥＣＵおよび各種センサの電気的接続関係を示した図である。
【図３】車高制御用ＥＣＵが実行するイグニッションオフ後制御プログラムのフローチャートである。
【図４】イグニッションのオン・オフ状態と、車高制御用ＥＣＵが検知するバッテリ電圧の経時変化と、ブレーキ用ＥＣＵの通電状態の経時変化を併記したグラフである。
【符号の説明】
【００５１】
２０ａ，２０ｂ，２０ｃ，２０ｄ…流体圧シリンダ、２６ａ，２６ｂ，２６ｃ，２６ｄ…ピストンロッド、４１…ポンプ、４３…リザーバ、４４…逆止弁、４８…電磁切換弁、５１ａ，５１ｂ，５１ｃ，５１ｄ…電磁切換弁、６０…車高制御用ＥＣＵ（車高調整用制御装置）、６０ａ…メモリ、６１ａ，６１ｂ，６１ｃ，６１ｄ…車高センサ、７０…ブレーキ用ＥＣＵ、７１…前後加速度センサ（車両状態検出手段）、７２…横加速度センサ（車両状態検出手段）、７３…ヨーレートセンサ、７４…車輪速センサ、７５…シフト位置センサ、ＢＴ…バッテリ、Ｌ１ａ，Ｌ１ｂ，Ｌ１ｃ，Ｌ１ｄ…個別油路、Ｌ２…共通油路、Ｌ２ｂ…バイパス油路
【図１】
2009113571.tif 000003
【図２】
2009113571.tif 000004
【図３】
2009113571.tif 000005
【図４】
2009113571.tif 000006